(57)【要約】【課題】常時録画機能を備える録画装置に記録されたデータを移行するに際し、移行を効率的に行うことを目的とする。【解決手段】複数のチューナーにより受信された複数のコンテンツを記録部に録画させる常時録画を行う移行元の録画装置からデータの移行を受ける録画装置であって、通信部と、移行元の録画装置に記録されたコンテンツの情報を通信部を通じて取得し、取得されたコンテンツの情報をもとに、移行元の録画装置から移行するコンテンツを絞りこむための絞り込み条件を設定する絞り込み部と、設定された絞り込み条件に応じてコンテンツの移行を、通信部を用いて移行元の録画装置に要求するコンテンツ要求部と、を有する。【選択図】図３
2015176631.tif 000002
【特許請求の範囲】
【請求項１】
複数のチューナーにより受信された複数のコンテンツを記録部に録画させる常時録画を行う移行元の録画装置からデータの移行を受ける録画装置であって、
通信部と、
前記移行元の録画装置に記録された前記コンテンツの情報を前記通信部を通じて取得し、取得された前記コンテンツの情報をもとに、前記移行元の録画装置から移行する前記コンテンツを絞りこむための絞り込み条件を設定する絞り込み部と、
設定された前記絞り込み条件に応じて前記コンテンツの移行を前記通信部を用いて前記移行元の録画装置に要求するコンテンツ要求部と、を有することを特徴とする録画装置。
【請求項２】
前記絞り込み部は、前記コンテンツの情報をもとに過去番組表を作成し、作成された前記過去番組表をもとにユーザから前記コンテンツの選択を受付けることで、移行する前記コンテンツを絞り込む、ことを特徴とする請求項１に記載の録画装置。
【請求項３】
前記コンテンツの情報は、前記常時録画における録画条件を示す設定情報であって、
前記絞り込み部は、前記設定情報をもとに、前記絞り込み条件を設定する、ことを特徴とする請求項１に記載の録画装置。
【請求項４】
前記絞り込み部は、ユーザによる前記コンテンツを特定するための検索情報を受付け、前記設定情報に加えて、受付けた前記検索情報を用いて、前記絞り込み条件を設定する、ことを特徴とする請求項３に記載の録画装置。
【請求項５】
前記絞り込み部は、前記コンテンツの視聴頻度に応じて、移行する前記コンテンツのお勧め設定を通知する、ことを特徴とする請求項１から請求項４のいずれか一項に記載の録画装置。
【請求項６】
コンテンツ要求部は、絞り込まれた前記コンテンツの情報量を削減して、前記移行元の録画装置に記録する、ことを特徴とする請求項１から請求項５のいずれか一項に記載の録画装置。
【請求項７】
コンテンツ要求部は、前記移行元の録画装置に対して、移行先の記録部の領域を指定する、ことを特徴とする請求項１から請求項６のいずれか一項に記載の録画装置。
【請求項８】
前記絞り込み部により設定された前記絞り込み条件をもとに、前記常時録画を設定する際の録画条件を設定する録画条件移行部、を有することを特徴とする請求項１から請求項７のいずれか一項に記載の録画装置。
【請求項９】
テレビ放送により放送されるコンテンツを受信する複数のチューナーと、
前記複数のチューナーにより受信された複数の前記コンテンツを記録部に録画させる常時録画を行う録画手段と、を有する録画装置であって、
通信部と、
移行先の録画装置から前記記録部に録画された前記コンテンツの情報の移行要求に応じて、前記コンテンツの情報を移行するコンテンツ情報移行部と、
移行した前記コンテンツの情報の移行後、前記移行先の録画装置から要求される前記コンテンツの要求に応じて、前記記録部に録画された前記コンテンツを前記移行先の録画装置に移行するコンテンツ移行部と、を有することを特徴とする録画装置。
【発明の詳細な説明】
【技術分野】
【０００１】
本発明は、録画装置に関する。
【背景技術】
【０００２】
従来、録画装置では、放送時刻、放送チャンネルといった録画条件で個別のコンテンツを特定して録画を行うことができる。また、このような個別のコンテンツを録画する機能とは別に、チャンネルや時間帯といった条件をもとに該当する複数のコンテンツを録画し続ける機能が知られている。このような機能は、タイムシフト機能、ループ録画機能、全録等の呼び名で呼ばれている。例えば、ユーザが録画対象チャンネルとして『１』『２』を設定し、録画時間を設定すると、録画装置は、指定された時間帯における『１』『２』のチャンネルで放送されるコンテンツを録画し続ける。
【０００３】
さて、録画装置を買い換えたり、既存の録画装置とは別に新たな録画装置を買い足したりした場合、既存の録画装置に録画されたコンテンツデータを新たに購入した録画装置に移行する場合がある。例えば、特許文献１には、既存の録画装置が記録するデータを異なる録画装置に一括で移行する発明が開示されている（例えば、特許文献１参照。）。
【先行技術文献】
【特許文献】
【０００４】
【特許文献１】特開２００９−０３３７３４号公報
【発明の概要】
【発明が解決しようとする課題】
【０００５】
常時録画機能を備える録画装置においても、装置の買い替えや買い足し時に録画されたコンテンツデータを移行させる機会が生じる。しかし、常時録画機能を備える録画装置では、録画するデータの容量も多い。また、常時録画では、ユーザが録画したコンテンツの全ての内容を知っているわけではなく、また、ユーザが全てのコンテンツを移行させたいわけではない。しかし、ユーザが録画されたコンテンツの中から移行させるコンテンツを選択するには時間を要する。
【０００６】
本発明は、上記課題にかんがみてなされたもので、常時録画機能を備える録画装置に記録されたデータを移行するに際し、移行を効率的に行うことを目的とする。
【課題を解決するための手段】
【０００７】
上記課題を解決するために、本発明の一態様では、複数のチューナーにより受信された複数のコンテンツを記録部に録画させる常時録画を行う移行元の録画装置からデータの移行を受ける録画装置であって、通信部と、前記移行元の録画装置に記録された前記コンテンツの情報を前記通信部を通じて取得し、取得された前記コンテンツの情報をもとに、前記移行元の録画装置から移行する前記コンテンツを絞りこむための絞り込み条件を設定する絞り込み部と、設定された前記絞り込み条件に応じて前記コンテンツの移行を前記通信部を用いて前記移行元の録画装置に要求するコンテンツ要求部と、を有する。
ここで、本発明が対象とする録画装置は、移行元の録画装置のように常時録画機能を備えていなくともよい。
また、コンテンツの情報は、ＥＩＴ（Event Information Table）に含まれる番組情報、放送されたチャンネル、録画時間帯等コンテンツの範囲を絞り込むことができるものであればどのようなものであってもよい。
【０００８】
上記のように構成された発明では、絞り込み部は、移行元の録画装置に記録されたコンテンツの情報を通信部を通じて取得し、取得されたコンテンツの情報をもとに、移行元の録画装置から移行するコンテンツを絞りこむための絞り込み条件を設定する。そして、コンテンツ要求部は、設定された絞り込み条件に応じてコンテンツの移行を通信部を用いて移行元の録画装置に要求する。
そのため、移行元の録画装置が常時録画により多くのコンテンツを録画している場合でも、移行するコンテンツを取捨選択することができ、データの移行を効率的に行うことができる。
【０００９】
本発明の一態様では、前記絞り込み部は、前記コンテンツの情報をもとに過去番組表を作成し、作成された前記過去番組表をもとにユーザから前記コンテンツの選択を受付けることで、移行する前記コンテンツを絞り込む。
上記のように構成された発明では、ユーザが過去番組表を視認しながら移行させるコンテンツを選択することができるため、コンテンツを効率的に移行することができる。
【００１０】
本発明の一態様では、前記コンテンツの情報は、前記常時録画における録画条件を示す設定情報であって、前記絞り込み部は、前記設定情報をもとに、前記絞り込み条件を設定する。
上記のように構成された発明では、移行元の録画装置の録画条件をコンテンツを移行する条件に流用することで、コンテンツを効率的に移行することができる。
【００１１】
本発明の一態様では、前記絞り込み部は、ユーザによる前記コンテンツを特定するための検索情報を受付け、前記設定情報に加えて、受付けた前記検索情報を用いて、前記絞り込み条件を設定する。
上記のように構成された発明では、設定情報に加えて検索情報を用いることで、コンテンツの絞り込みをより効果的に行うことができる。
【００１２】
本発明の一態様では、前記絞り込み部は、前記コンテンツの視聴頻度に応じて、移行する前記コンテンツのお勧め設定を通知する。
上記のように構成された発明では、ユーザは、コンテンツを移行させる前にお勧め設定の通知を受けることができるため、コンテンツを効率的に移行することができる。
【００１３】
本発明の一態様では、前記コンテンツ移行部は、絞り込まれた前記コンテンツの情報量を削減して、前記移行元の録画装置に記録する。
上記のように構成された発明では、移行先の録画装置の記録部の容量を効果的に活用することができる。
【００１４】
本発明の一態様では、コンテンツ要求部は、前記移行元の録画装置に対して、移行先の記録部の領域を指定する。
上記のように構成された発明では、コンテンツを効率的に移行することができる。
【００１５】
本発明の一態様では、前記絞り込み部により設定された前記絞り込み条件をもとに、前記常時録画を設定する際の録画条件を設定する録画条件移行部、を有する。
上記のように構成された発明では、移行先の録画装置の録画条件を効率的に設定することができる。
【００１６】
また、本発明は、転送元の録画装置にかかる発明として捉えることもできる。
【図面の簡単な説明】
【００１７】
【図１】データ移行システムを構成する録画装置の外観図。
【図２】録画装置のハードウェア構成を示すブロック構成図。
【図３】システムコントローラ３０の機能と、ハードウェアとの関係を説明するブロック構成図。
【図４】ループ録画における設定情報の移行を説明するフローチャート。
【図５】表示装置５０の画面に表示される移行したループ録画条件の録画条件画面３１０を示す図。
【図６】録画装置１０と録画装置４０との間で実行される処理を説明するフローチャート。
【図７】表示装置５０の画面に表示される過去番組表を示す図。
【図８】データ移行処理において録画装置１０と録画装置４０との間で実行される処理を説明するフローチャート。
【図９】図８のステップＳＡ１１４により絞り込み部３０２が実行する処理を示すフローチャート。
【図１０】ステップＳ１１４１において、表示装置５０に表示されるチャンネル選択画面４００を示す図。
【図１１】ステップＳ１１３４において、表示装置５０に表示される時間帯選択画面４１０を示す図。
【図１２】ループ録画条件の移行を説明するフローチャート。
【図１３】図８のステップＳＡ１１４により絞り込み部３０２が実行する処理を示すフローチャート。
【図１４】ステップＳ２１４１において、表示装置５０に表示される検索画面５００を示す図。
【図１５】第４の実施形態において絞り込み部３０２が実行する処理を示すフローチャート。
【図１６】表示装置５０に表示されるお勧め設定画面を示す図。
【発明を実施するための形態】
【００１８】
以下、下記の順序に従って本発明の実施形態を説明する。
１．第１の実施形態：
（１）録画装置の構成
（２）録画条件の移行方法
（３）録画コンテンツの移行方法
２．第２の実施形態：
３．第３の実施形態：
４．第４の実施形態：
５．第５の実施形態：
６．第６の実施形態：
７．その他の実施形態：
【００１９】
１．第１の実施形態：
（１）録画装置の構成
図１は、データ移行システムを構成する録画装置の外観図である。
図１では、録画装置４０が移行元の録画装置であり、録画装置１０が移行先の録画装置である。録画装置４０から録画装置１０へデータを移行させる場合、録画装置１０、４０と、をネットワークＮＥを介して接続する。ネットワークＮＥは、ＨＤＭＩ（High-Definition Multimedia Interface：登録商標）や、ＤＬＮＡ（Digital Living Network Alliance）等を用いることができる。ネットワークＮＥがＨＤＭＩに対応する場合、録画装置１０と録画装置４０とは、ＨＤＭＩのＣＥＣコマンドにより通信を行うことができる。また、ネットワークＮＥがＤＬＮＡに対応する場合、ＵＰＮＰ−ＡＶクラスに従って通信を行う。また、ネットワークＮＥには、表示装置５０が接続されている。
【００２０】
図２は、録画装置のハードウェア構成を示すブロック構成図である。この第１の実施形態では、録画装置１０と録画装置４０とは常時録画機能としてループ録画機能を備える録画装置として説明を行う。図２では、録画装置１０のハードウェア構成を例に説明を行うが、録画装置４０についてもその構成は同じである。
【００２１】
録画装置１０は、チューナー部１１、ＴＳ処理部１２、録画再生制御部１３、番組表処理部１４、ＭＰＥＧデコーダ１５、通信Ｉ／Ｆ（通信部）１６、記録用メモリ２０、システムコントローラ３０、リモコン受信部１７と、を備える。
【００２２】
チューナー部１１は、図示しないアンテナで受信されたテレビジョン放送から所望のチャンネルに対応する情報を抽出する。また、図２ではチューナー部１１は、複数のチューナー１１＿１〜１１＿Ｎを備えている。ここで、チューナー１１＿１は、通常の録画方式であるＰＶＲ（Personal Video Recorder）録画に用いられる。また、チューナー１１＿２〜チューナー１１＿Ｎはループ録画に用いられる。
なお、図２では、ＰＶＲ録画に用いられるチューナーを１つとして記載しているが、これに限定されず、複数のチューナーを用いるものであってもよい。また、チューナーは地上デジタル放送や、衛生放送（ＢＳ）、ケーブル放送（ＣＳ）のそれぞれの放送波から所定のチャンネルに対応する情報を抽出することができる。
【００２３】
チューナー部１１の出力側には、ＴＳ処理部１２が接続されている。ＴＳ処理部１２は、チューナー１１＿１〜１１＿Ｎから出力されるＴＳパケット化された放送信号をデジタルの映像信号及び音声信号に分離し、録画再生制御部１３に出力する。以下、映像信号または音声信号を単にコンテンツとも記載する。また、記録用メモリに記録（録画）されたコンテンツを録画コンテンツと記載する。また、ＴＳ処理部１２は、入力された放送信号からＳＤＴ（Service Description Table）やＥＩＴ（Event Information Table）を分離する。
【００２４】
録画再生制御部１３は、ＴＳ処理部１２によって出力されたコンテンツの録画や再生を制御する。また、この録画再生制御部１３には、ループ録画時におけるコンテンツの録画を制御するループ記録制御部１３１、ＰＶＲ録画時におけるコンテンツの録画を制御するＰＶＲ記録制御部１３２、再生部１３３と、を有する。
【００２５】
ループ記録制御部１３１は、チューナー１１＿２〜１１＿Ｎから出力されるコンテンツデータにファイル管理用の情報を付与し、記録用メモリ２０のループ録画用の記録領域（ループ記録領域２０１とも記載する）に記録する。ループ記録領域２０１には、チャンネル毎に、記録先のセクタが割当てられている。また、コンテンツデータは、ループ記録領域２０１の該当するセクタの先頭アドレスから順に記録されていく。そして、コンテンツデータがループ記録領域２０１の該当チャンネル割当てられたセクタの終端まで記録が行われると、ループ記録制御部１３１は、セクタの先頭アドレスに戻り、記録を繰返す。そのため、ループ記録領域２０１に記録されるコンテンツデータは、あるタイミングで上書きされるため、永続的に記録されない。
【００２６】
ＰＶＲ記録制御部１３２は、通常の録画方式であるＰＶＲ（Personal Video Recorder）録画で録画されたコンテンツデータを記録用メモリ２０のＰＶＲ録画用の記録領域（ＰＶＲ記録領域２０２とも記載する）に記録する。ＰＶＲ録画では、チューナー１１＿１により抽出されたコンテンツデータにファイル管理用の情報を付与し、記録用メモリ２０のＰＶＲ記録領域２０２に記録する。ＰＶＲ記録領域２０２に記録された録画コンテンツは、システムコントローラ３０からの消去命令が入力されるまで、記録が保持される。
【００２７】
また、ループ記録制御部１３１とＰＶＲ記録制御部１３２は、録画コンテンツを録画するごとに、管理テーブルをループ記録領域２０１またはＰＶＲ記録領域２０２の所定領域に記録する。この管理テーブルには、録画コンテンツのファイルに関連づけて、録画コンテンツの番組情報、コンテンツが録画された時間を示す時間情報、コンテンツに関連した番組情報が記録される。番組情報は、チャンネルの番号を示すチャンネル番号、コンテンツ名、録画時間、録画日時、番組の内容を示す番組情報を含んでおり、ＴＳ処理部１２により分離されたＥＩＴをもとに作成される。
【００２８】
再生部１３３は、システムコントローラ３０から再生指示の入力を受けると、該当録画コンテンツをループ記録領域２０１またはＰＶＲ記録領域２０２から読み出し、ＭＰＥＧデコーダ１５に出力する。
【００２９】
ＭＰＥＧデコーダ１５は、録画再生制御部１３から入力する録画コンテンツにＭＰＥＧデコード処理を施す。また、ＭＰＥＧデコーダ１５は、通信Ｉ／Ｆ１６を通じて表示装置５０と接続されている。そのため、ＭＰＥＧデコーダ１５によりデコードされた録画コンテンツは、通信Ｉ／Ｆ１６を通じて表示装置５０に出力される。
【００３０】
記録用メモリ２０は、録画再生制御部１３およびシステムコントローラ３０からアクセス可能に接続されている。記録用メモリ２０は、ＨＤＤ、フラッシュメモリ、ブルーレイディスク（ブルーレイは登録商標）またはＤＶＤ等の記録メディア、である。記録用メモリ２０には、上記したループ記録領域２０１、ＰＶＲ記録領域２０２の他、ユーザの視聴履歴を記録する履歴記録領域２０３を有している。履歴記録領域２０３には、ループ記録領域２０１に記録された録画コンテンツの内、ユーザが再生（視聴）を行ったことを示す履歴情報が記録される。例えば、この履歴情報には、コンテンツの再生毎に、コンテンツが放送されたチャンネル、再生を行った日時、再生時間、が記録される。また、履歴情報は、該当する録画コンテンツのファイルに関連づけて記録されている。
【００３１】
番組表処理部１４は、ＴＳ処理部１２から出力されるＥＩＴをもとに、電子番組表を作成する。電子番組表には、未来番組表と、過去番組表と、が含まれる。未来番組表は、ＴＳに含まれるＥＩＴにより作成され、放送時間（または日時）が経過すると消去される。過去番組表は、ループ録画を行う場合に、このループ録画の対象となるコンテンツ毎に作成される。この過去番組表には、録画コンテンツのチャンネル、録画時刻、番組名、番組内容等が記録される。また、ユーザがこの過去番組表に表示された録画コンテンツを選択することで、システムコントローラ３０から、録画再生制御部１３に対して、該当する録画コンテンツの再生が命令される。
【００３２】
システムコントローラ３０は、録画装置１０の駆動を統合的に制御する。システムコントローラ３０は、リモコン受信部１７や図示しない操作パネルが接続されており、ユーザからの操作をこのリモコン受信部１７や操作パネルを通じて受付ける。
図３は、システムコントローラ３０の機能と、ハードウェアとの関係を説明するブロック構成図である。システムコントローラ３０は、図示しないＣＰＵ、ＲＯＭ、ＲＡＭを備えて構成されており、ＣＰＵがＲＯＭに記録されたプログラムをＲＡＭに展開して実行することで、図３に示す機能を実現する。すなわち、録画装置１０がループ録画におけるデータ（録画コンテンツ、設定情報）の移行を受ける側の装置として機能する場合、システムコントローラ３０は、録画条件要求部３０１、絞り込み部３０２、コンテンツ要求部３０３、を機能的に備える。また、録画装置４０がループ録画におけるデータ（録画コンテンツ、設定情報）を移行する側の装置として機能する場合、システムコントローラ３０は、録画条件移行部３０４、コンテンツ情報移行部３０５、コンテンツ移行部３０６と、を機能的に備える。
【００３３】
録画条件要求部３０１は、録画装置４０が記録するループ録画の録画条件（設定情報）を通信Ｉ／Ｆ１６を通じて録画装置４０に対して要求する。録画条件移行部３０４は、録画装置４０に記録されているループ録画の録画条件（設定情報）を通信Ｉ／Ｆ１６を通じて録画装置１０に移行する。
【００３４】
絞り込み部３０２は、録画装置４０に記録された録画コンテンツの情報を通信Ｉ／Ｆ１６を通じて取得し、取得されたコンテンツの情報をもとに、録画装置４０から移行する録画コンテンツを絞りこむための絞り込み条件を設定する。そのため、コンテンツ情報移行部３０５は、絞り込み部３０２からの要求をうけて、コンテンツの情報（番組情報等）を、録画装置１０に移行する。
【００３５】
コンテンツ要求部３０３は、絞り込み部３０２により設定された絞り込み条件をもとに、該当録画コンテンツを通信Ｉ／Ｆ１６を通じて録画装置４０に要求する。そして、コンテンツ移行部３０６は、コンテンツ要求部３０３からの録画コンテンツの要求を受信し、録画再生制御部１３に該当する録画コンテンツをループ記録領域２０１から読み出させる。そして、コンテンツ移行部３０６は、通信Ｉ／Ｆ１６を通じて、ループ記録領域２０１から読み出されたＴＳストリームを録画装置１０に移行する。
【００３６】
（２）録画条件の移行方法
次に、録画装置１０と録画装置４０との間で実行されるループ録画条件の録画条件の移行方法について説明する。図４は、ループ録画における設定情報の移行を説明するフローチャートである。図４に示すフローチャートは、ユーザが録画装置４０のデータを移行させるモードを選択している場合に行われる処理である。以下、説明は省略するが、録画装置１０と、録画装置４０とは、ネットワークＮＥ上で互いを識別するためのアドレス（ＩＰアドレス）を取得しているものとする。
【００３７】
ステップＳＡ１、ＳＢ１では、録画装置１０と録画装置４０とは、ペアリング処理を行なう。例えば、表示装置５０に表示される図示しないＵＩ画面上で、録画装置１０の接続対象デバイスとして録画装置４０を選択することでペアリングが開始される。これ以外にも、表示装置５０にＵＩ画面を表示させることなく録画装置１０と録画装置４０とがペアリングを行うものであってもよい。
【００３８】
ステップＳＡ２では、録画条件要求部３０１は、ループ録画における録画条件を示す設定情報を、通信Ｉ／Ｆ１６を通じて録画装置４０に対して要求する。
【００３９】
ステップＳＢ２では、録画条件移行部３０４は、録画条件要求部３０１からの要求を受信すると、ステップＳＢ３では、設定情報を通信Ｉ／Ｆ１６を通じて録画装置１０へ送信する。例えば、この設定情報には、録画条件として、『チャンネル』、『時間帯』、『日時』等が含まれている。
【００４０】
ステップＳＡ３では、録画条件要求部３０１は、設定情報を受信すると、ステップＳＡ４では、受信した設定情報を表示装置５０に表示させる。
図５は、表示装置５０の画面に表示される移行したループ録画の録画条件画面３１０を示す図である。図５に示す録画条件画面３１０には、録画装置４０から移行した設定情報として『チャンネル』３１１、『時間帯』３１２、『曜日』３１３が表示される。
例えば、ステップＳＡ４で表示した録画条件画面３１０において、設定情報を変更する操作を行い、ループ録画の録画条件を修正するものであってもよい。
【００４１】
そして、ユーザが、表示された録画条件画面３１０において設定情報を確定するアイコン３１４を操作すると（ステップＳＡ５：ＹＥＳ）、ステップＳＡ６では、録画条件要求部３０１は、録画装置４０から引き継いだループ録画の録画条件（設定情報）をもとに、録画条件を設定する。そのため、録画装置４０では、移行された録画条件を用いてループ録画を行うことが可能となる。
【００４２】
（３）録画コンテンツの移行方法
次に、録画装置１０と録画装置４０との間で行なわれる録画コンテンツの移行方法を説明する。図６は、録画装置１０と録画装置４０との間で実行される処理を説明するフローチャートである。図６に示すフローチャートは、ユーザが録画装置１０のデータを移行するモードを選択している場合に、ユーザが録画装置１０を用いたコンテンツの再生を選択した場合に行われる処理である。
【００４３】
ステップＳＡ１１、ＳＢ１１では、録画装置１０は、録画装置４０との間でペアリングを行なう。
次に、ステップＳＡ１２では、絞り込み部３０２は、録画装置４０が録画する全ての録画コンテンツの番組情報を通信Ｉ／Ｆ１６を通じて要求する。
【００４４】
ステップＳＢ１２では、コンテンツ情報移行部３０５は、絞り込み部３０２からの要求を受信すると、ステップＳＢ１３では、ループ記録領域２０１に記録された全ての録画コンテンツの番組情報を、通信Ｉ／Ｆ１６を通じて録画装置１０に移行する。例えば、この番組情報には、録画コンテンツを識別するためのサービスＩＤに関連づけて送信される。
【００４５】
ステップＳＡ１３では、絞り込み部３０２は、番組情報を受信すると、ステップＳＡ１４では、番組表処理部１４に過去番組表を生成させる。すなわち、番組表処理部１４は、録画装置４０が記録する録画コンテンツの過去番組表を作成する。そして、ステップＳＡ１５では、絞り込み部３０２は、生成された過去番組表を表示装置５０に表示させる。
【００４６】
図７は、表示装置５０の画面に表示される過去番組表を示す図である。過去番組表は、録画装置４０のループ記録領域２０１に記録された録画コンテンツの情報をチャンネル、録画時間、日時に応じて表示するものである。図７に示す過去番組表では、横軸をチャンネル番号（ＣＨ１〜ＣＨ７）とし、縦軸を放送時間（ＡＭ６：００〜ＰＭ０：００）する表により構成されている。図７では、タイトルが付されたチャンネルと時間帯とがコンテンツが録画された時間帯である。また、過去番組表は、録画コンテンツの録画日時（図５では１月１日〜１月３日）毎に作成されている。
【００４７】
ユーザは、リモコン装置を用いて操作して、過去番組表で表示された録画コンテンツの選択を入力することができる（ステップＳＡ１６）。そして、ユーザが確定アイコンを操作すると（ステップＳＡ１７：ＹＥＳ）、ステップＳＡ１８では、絞り込み部３０２は確定した録画コンテンツの情報を示す情報をコンテンツ要求部３０３に返す。そして、ステップＳＡ１９では、コンテンツ要求部３０３は、ユーザにより選択された録画コンテンツ（サービスＩＤ）を、通信Ｉ／Ｆ１６を通じて録画装置４０に要求する。
【００４８】
ステップＳＢ１４では、コンテンツ移行部３０６は、録画装置１０からの録画コンテンツの移行要求を受信すると、ステップＳＢ１５では、ユーザによって選択された録画コンテンツを通信Ｉ／Ｆ１６を通じて録画装置１０に移行させる。すなわち、コンテンツ移行部３０６は、再生部１３３を通じて録画コンテンツを読み出し、読み出された録画コンテンツを通信ＩＦ１６を通じて、録画装置１０に送信する。また、このとき、録画コンテンツと同時に、録画コンテンツにかかる番組情報を送信するものであってもよい。
【００４９】
以下、録画装置１０は、録画コンテンツを受信し、録画コンテンツの再生処理を開始する。また、録画装置１０による録画コンテンツの再生が終了した場合に、録画装置４０が記録する該当コンテンツを消去してもよい。
【００５０】
また、番組表処理部１４により作成された過去番組表は、ユーザが録画装置４０に記録された録画コンテンツの移行を要求する毎に用いられる。さらに、録画装置１０がループ録画を実行することで、過去番組表の内容も更新される。
【００５１】
以上説明したようにこの第１の実施形態では、絞り込み部３０２が録画装置４０に記録されたコンテンツの情報を通信Ｉ／Ｆ１６を通じて取得し、取得されたコンテンツの情報をもとに録画コンテンツの絞り込みを行う。そして、コンテンツ要求部が絞り込まれたコンテンツを、通信Ｉ／Ｆ１６を用いて録画装置４０に要求する。そのため、録画装置４０が常時録画により多くのコンテンツを録画している場合でも、移行するコンテンツを取捨選択することができ、効率的にデータの移行を行うことができる。
【００５２】
前記絞り込み部３０２が過去番組表を作成し、作成された過去番組表をもとにユーザから録画コンテンツの選択を受付けることで、ユーザが過去番組表を視認しながら移行させる録画コンテンツを選択することができる。そのため、録画コンテンツを効率的に移行することができる。
【００５３】
２．第２の実施形態：
移行する録画コンテンツを絞り込む条件をループ録画の録画条件をもとに行なうものであってもよい。すなわち、この第２の実施形態では、絞り込み部３０２が録画コンテンツを絞り込む方法が、第１の実施形態と比べて異なる。
【００５４】
図８は、データ移行処理において録画装置１０と録画装置４０との間で実行される処理を説明するフローチャートである。図８に示すフローチャートは、ユーザが録画装置４０のデータを移行するモードを選択している場合に行われる処理である。
【００５５】
ステップＳＡ１１１、ＳＢ１１１では、録画装置１０は、録画装置４０との間でペアリングを行なう。ステップＳＡ１１２では、絞り込み部３０２は、録画装置４０で設定されている録画条件の設定情報を通信Ｉ／Ｆ１６を通じて要求する。
【００５６】
ステップＳＢ１１２では、コンテンツ情報移行部３０５は、絞り込み部３０２からの要求を受信すると、ステップＳＢ１１３では、現在ユーザが録画装置４０で設定している録画条件（設定情報）を、通信Ｉ／Ｆ１６を通じて録画装置１０に移行する。
【００５７】
そして、録画装置１０の絞り込み部３０２は、ステップＳＡ１１３において設定情報を受信すると、ステップＳＡ１１４では、録画コンテンツの絞り込みを行う。
図９は、図８のステップＳＡ１１４により絞り込み部３０２が実行する処理を示すフローチャートである。
ステップＳＡ１１４１では、絞り込み部３０２は、設定情報に記録されたチャンネルをユーザに選択させるためのチャンネル選択画面を表示する。図１０は、ステップＳ１１４１において、表示装置５０に表示されるチャンネル選択画面４００を示す図である。図１０に示すチャンネル選択画面４００には、ユーザの選択を受付けるチェックボックス４０１、ループ録画の設定情報として記録されたチャンネル番号４０２、このチャンネルに対応する放送局名４０３、さらには選択を確定するための確定アイコン４０４が表示される。
【００５８】
ステップＳＡ１１４２では、絞り込み部３０２は、ユーザによるチャンネルの選択入力を受付ける。すなわち、図１０に示すチャンネル選択画面４００において、ユーザがチェックボックス４０１を操作して、チャンネルの選択を行う。
【００５９】
ユーザがチャンネル選択を確定する確定アイコン４０４を操作すると（ステップＳＡ１１４３：ＹＥＳ）、絞り込み部３０２は、ステップＳＡ１１４４に進む。
【００６０】
ステップＳＡ１１４４では、絞り込み部３０２は、設定情報として記録された録画時間帯をユーザに選択させるための時間帯選択画面４１０を表示する。図１１は、ステップＳＡ１１４４において、表示装置５０に表示される時間帯選択画面４１０を示す図である。図１１に示す時間帯選択画面４１０には、横軸をチャンネルとし、縦軸を時間帯とする表により構成されている。また、チャンネルと時間により特定される欄の内、ループ録画の設定情報として記録されている欄には番組名等が付されている。そして、ユーザがアイコン４１１を操作して、時間帯を選択することができる。そして、この時間帯選択画面４１０には、選択を確定するための確定アイコン４１２が表示されている。
【００６１】
ステップＳＡ１１４５では、絞り込み部３０２は、ユーザによる録画時間帯の選択入力を受付ける。すなわち、図１１に示す時間帯選択画面４１０において、ユーザがカーソルを操作して時間帯の選択を行う。
【００６２】
ユーザが時間帯選択を確定するアイコン４１２を操作すると（ステップＳＡ１１４６：ＹＥＳ）、絞り込み部３０２は、ステップＳＡ１１４７に進む。ステップＳＡ１１４７では、絞り込み部３０２は、ユーザにより選択されたチャンネルと録画時間帯と、を録画コンテンツを絞り込むための絞り込み条件として記録する。そして、絞り込み部３０２は図８のステップＳＡ１１５に進む。
【００６３】
図８のステップＳＡ１１５では、絞り込み部３０２は絞り込み条件をコンテンツ要求部３０３に返す。そして、ステップＳＡ１１６では、コンテンツ要求部３０３は、絞り込み部３０２により設定された絞り込み条件をもとに、録画コンテンツを通信Ｉ／Ｆ１６を通じて録画装置４０に要求する。
【００６４】
ステップＳＢ１１４では、コンテンツ移行部３０６は、録画装置１０からの要求を受信すると、ステップＳＢ１１５では、絞り込み条件に対応する録画コンテンツを通信Ｉ／Ｆ１６を通じて録画装置１０に移行させる。すなわち、コンテンツ移行部３０６は、絞り込み条件（チャンネル、録画時間）に対応する録画コンテンツを、再生部１３３を通じて読み出す。ここで、設定情報に対応する録画コンテンツを読み出す手法の一例として、管理テーブルに記録された番組情報等をもとに、該当する録画コンテンツを決定する。そして、読み出された録画コンテンツを、通信ＩＦ１６を通じて、録画装置１０に送信する。
【００６５】
そして、録画装置１０のコンテンツ要求部３０３は、録画コンテンツを受信し、録画コンテンツを記録用メモリ２０に記録していく。例えば、コンテンツ要求部３０３は、移行された録画コンテンツをループ記録領域２０１に記録する。
【００６６】
次に、第２の実施形態における録画装置１０と録画装置４０との間で実行されるループ録画条件の移行方法について説明する。図１２は、ループ録画条件の移行を説明するフローチャートである。図１２に示すフローチャートは、録画装置４０から録画装置１０へ録画コンテンツの移行が行われた後に実行される処理である。
【００６７】
ステップＳＡ１０１では、録画条件要求部３０１は、録画コンテンツの移行時（図８、図９に示す処理）において、ステップＳＡ１１４７でユーザによって選択された絞り込み条件を取得する。ステップＳＡ１０２において取得される絞り込み条件には、図９に示すフローによりユーザによって選択された『チャンネル』、『録画時間帯』が含まれている。
【００６８】
ステップＳＡ１０２では、録画条件要求部３０１は、ステップＳＡ１０１で取得した絞り込み条件に応じて設定した録画条件を表示装置５０に表示させる。また、録画コンテンツの移行時において、録画装置４０から、録画コンテンツ毎の履歴情報を受信している場合、この履歴情報も合わせて表示させてもよい。
【００６９】
ステップＳＡ１０３では、録画条件要求部３０１は、ユーザから録画条件を変更するための操作入力を受付ける。そして、ユーザが、表示された画面において録画条件を確定するアイコンを操作すると（ステップＳＡ１０４：ＹＥＳ）、ステップＳＡ１０５では、録画条件要求部３０１は、確定した録画条件をもとにループ録画の録画条件を行なう。そのため、録画装置１０では、記録されたループ録画条件を用いてループ録画を行うことが可能となる。
【００７０】
以上説明したように、この第２の実施形態では、第１の実施形態が奏する効果に加えて以下の効果を奏する。すなわち、移行元の録画装置４０の録画条件を、録画コンテンツを移行する条件に流用することで、コンテンツを効率的に移行することができる。
【００７１】
３．第３の実施形態：
この第３の実施形態では、第２の実施形態における録画コンテンツの絞り込みにおいて、ユーザが録画コンテンツを特定するための情報を入力する構成が異なる。
【００７２】
図１３は、図８のステップＳＡ１１４により絞り込み部３０２が実行する処理を示すフローチャートである。以下、図８のフローを流用しつつ第３の実施形態にかかる処理を説明する。
【００７３】
図８のステップＳＡ１１２では、絞り込み部３０２は、録画装置４０で設定されている録画条件の設定情報を通信Ｉ／Ｆ１６を通じて要求する。ステップＳＢ１１２では、コンテンツ情報移行部３０５は、絞り込み部３０２からの要求を受信すると、ステップＳＢ１１３では、ループ録画の全設定情報を、通信Ｉ／Ｆ１６を通じて録画装置１０に移行する。
そして、録画装置１０の絞り込み部３０２は、ステップＳＡ１１３において設定情報を受信すると、ステップＳＡ１１４では、録画コンテンツの絞り込みを行う。
【００７４】
図１３のステップＳＡ２１４１では、絞り込み部３０２は、検索条件を入力するための検索画面５００を表示装置５０に表示させる。図１４は、ステップＳＡ２１４１において、表示装置５０に表示される検索画面５００を示す図である。図１４に示す検索画面５００には、録画コンテンツの内容（ドラマ、ニュース、スポーツ、映画等）を示す『ジャンル』５０１と、各ジャンルの内容を絞り込むための『キーワード』５０２をユーザに選択させる。また、ユーザが検索画面５００において確定アイコン５０３を操作すると、選択された検索情報が確定する。また、検索情報は、『ジャンル』、『キーワード』以外にも、『出演者』、『再生途中』、『再生済み』、『未再生』等、録画コンテンツの番組情報をもとにコンテンツの特定が行えるものであればどのようなものであってもよい。
【００７５】
ステップＳＡ２１４２では、絞り込み部３０２は、ユーザによる検索情報の入力を受付ける。すなわち、図１４に示す検索画面５００において、ユーザが『ジャンル』、『キーワード』を選択して、検索条件の入力を行う。そして、ユーザが確定アイコン５０３を操作すると（ステップＳＡ２１４３：ＹＥＳ）、絞り込み部３０２は、ステップＳＡ２１４４に進む。
【００７６】
図１３のステップＳＡ２１４４では、絞り込み部３０２は、設定情報に記録されたチャンネルをユーザに選択させるためのチャンネル選択画面を表示し、ユーザによるチャンネルの選択入力を受付ける（ステップＳＡ２１４５）。例えば、図１０に示すチャンネル選択画面４００において、ユーザがチェックボックス４０１を操作して、チャンネルの選択を行う。そして、ユーザがチャンネル選択を確定する確定アイコン４０４を操作すると（ステップＳＡ２１４６：ＹＥＳ）、絞り込み部３０２は、ステップＳＡ２１４７に進む。
【００７７】
ステップＳＡ２１４７では、絞り込み部３０２は、設定情報として記録された録画時間帯をユーザに選択させるための時間帯選択画面を表示し、ユーザによる録画時間帯の選択入力を受付ける（ステップＳＡ２１４８）。例えば、図１１に示す時間帯選択画面４１０において、ユーザがカーソルを操作して時間帯の選択を行う。そして、ユーザが時間帯選択を確定するアイコン４１２を操作すると（ステップＳＡ２１４９：ＹＥＳ）、絞り込み部３０２は、ステップＳＡ２１５０に進む。
【００７８】
ステップＳＡ２１５０では、絞り込み部３０２は、ユーザにより選択された、検索情報、チャンネル、録画時間帯を録画コンテンツを絞り込むための絞り込み条件として記録する。そして、絞り込み部３０２は図８のステップＳＡ１１５に進む。
【００７９】
図８のステップＳＡ１１５では、絞り込み部３０２は絞り込み条件をコンテンツ要求部３０３に返す。そして、ステップＳＡ１１６では、コンテンツ要求部３０３は、絞り込み部３０２により設定された絞り込み条件を通信Ｉ／Ｆ１６を通じて録画装置４０に要求する。
ステップＳＢ１１４では、コンテンツ移行部３０６は、絞り込み条件を受信すると、ステップＳＢ１１５では、この絞り込み条件に対応する録画コンテンツを通信Ｉ／Ｆ１６を通じて録画装置１０に移行させる。この第３の実施形態では、絞り込み条件には、設定情報（『チャンネル』、『録画時間』）に加えて、検索情報（『ジャンル』『キーワード』）が含まれる。
【００８０】
録画装置１０のコンテンツ要求部３０３は、録画コンテンツを受信し、録画コンテンツを記録用メモリ２０に記録する。例えば、コンテンツ要求部３０３は、移行された録画コンテンツをループ記録領域２０１に記録する。
【００８１】
以上説明したようにこの第３の実施形態では、録画条件に加えて検索情報を用いることで、コンテンツの絞り込みをより効果的に行うことができる。
【００８２】
４．第４の実施形態：
この第４の実施形態では、録画装置１０が録画コンテンツを移行させる場合に、ユーザにお勧め設定を表示させる構成が他の実施形態と異なる。
【００８３】
図１５は、第４の実施形態において絞り込み部３０２が実行する処理を示すフローチャートである。図１５に示す処理は、図８のステップＳＡ１１１とステップＳＡ１１２との間で実行される処理である。
【００８４】
ステップＳＡ３１１では、絞り込み部３０２は、録画装置４０に対して、履歴情報を通信Ｉ／Ｆ１６を通じて要求する。この第４の実施形態では、録画装置４０が記録する全ての履歴情報を要求する。
【００８５】
ステップＳＢ３１１では、録画装置４０のコンテンツ情報移行部３０５は、履歴情報の要求を受信すると、ステップＳＢ３１２では、履歴記録領域２０３に記録された履歴情報を通信Ｉ／Ｆ１６を通じて録画装置１０に送信する。
【００８６】
ステップＳＡ３１２では、絞り込み部３０２は、履歴情報を受信すると、ステップＳＡ３１３で、録画コンテンツの視聴頻度を算出する。ステップＳＡ３１３で算出される視聴頻度は、例えば、あるチャンネル毎の録画コンテンツの再生時間の和により算出される。
【００８７】
ステップＳＡ３１４では、絞り込み部３０２は、録画装置１０の記録用メモリ２０のメモリ容量を取得する。例えば、録画コンテンツの記録先のループ記録領域２０１に設定している場合、絞り込み部３０２は、ループ記録領域２０１の記録可能容量を取得する。
【００８８】
ステップＳＡ３１５では、絞り込み部３０２は、ユーザから録画コンテンツの希望移行時間の入力を受付ける。移行時間は、録画コンテンツを移行するのにかかる時間である。また、希望移行時間は、ユーザが希望する録画コンテンツの移行時間である。例えば、絞り込み部３０２は図示しないＵＩ画面を表示させてユーザから希望する移行時間の入力を受付ける。また、ユーザから希望移行時間を受付けないものであってもよい。
【００８９】
ステップＳＡ３１６では、絞り込み部３０２は、録画コンテンツを移行するためのお勧め設定を行う。ステップＳＡ３１６で算出されるお勧め設定は、ステップＳＡ３１２で取得した視聴頻度と、ステップＳＡ３１４で取得したメモリ容量と、ステップＳＡ３１５で取得した希望移行時間とをもとに算出される。例えば、絞り込み部３０２は、各チャンネルを視聴頻度の高い順に並べ替えた後、メモリ容量を超えない範囲で、且つ、希望移行時間に近いことを条件にチャンネルを順次並べ替える。
【００９０】
ステップＳＡ３１７では、絞り込み部３０２は、ステップＳＡ３１６で算出したお勧め設定を表示装置５０に表示させる。図１６は、表示装置５０に表示されるお勧め設定画面を示す図である。図１６に示すお勧め設定画面６００では、お勧め度の高い順に、『ＣＨ１、ＡＡＡ放送』『ＣＨ２、ＢＢＢ放送』、『ＣＨ３、ＣＣＣ放送』のアイコン６０１が表示されている。また、各チャンネルに関連づけて移行時間６０２が表示される。
【００９１】
以下、図８のステップＳＡ１１２に進み、絞り込み部３０２は、録画コンテンツを絞り込むための一連の処理を実行する。そして、図９のステップＳＡ１１４２、ＳＡ１１４５で、ユーザが『チャンネル』や『時間帯』を選択する入力を行う。この第４の実施形態では、ユーザは、お勧め設定画面６００を参照しており、このお勧め設定画面６００の内容をもとに選択を行うことができる。
【００９２】
５．第５の実施形態：
コンテンツ要求部３０３は、録画装置４０から録画装置１０に移行される録画コンテンツの情報量を元の情報量と比べて少なくして記録用メモリ２０に記録してもよい。例えば、１つの録画コンテンツには、本編部分と、ＣＭとで構成されている。そのため、録画コンテンツをチャプター分けした後、本編部分のチャプターのみを録画装置１０の記録用メモリ２０に記録するものであってもよい。録画コンテンツからＣＭ部分を間引く手法の一例として、録画コンテンツをチャプター分けし、各チャプターにチャプター番号を先頭から付与した場合に、偶数チャプターの合計時間と、奇数チャプターの合計時間とを比べて、短い方のチャプターをＣＭ部分として判断する。
また、録画コンテンツの画質を落とすことで、情報量を元の情報量と比べて少なくするものであってもよい。
以上説明したようにこの第５の実施形態では、録画コンテンツを記録するメモリを有効に活用することができる。
【００９３】
６．第６の実施形態：
録画装置では記録用メモリ２０に録画コンテンツを録画する際、録画コンテンツを暗号化キーで暗号化する場合がある。録画装置において実行される暗号化の一例として、デジタル映像信号の著作権保護技術であるＨＤＣＰ（High-bandwidth Digital Content Protection）がある。ここで、録画装置４０から録画装置１０へ録画コンテンツを移行する場合、録画装置４０の内部で暗号化キーとペアとなる自機の復号化キーで録画コンテンツの暗号化を解除した後、録画装置１０へ録画コンテンツが移行される。そして、録画コンテンツの移行をうけた録画装置１０も自機の暗号化キーで録画コンテンツを暗号化した後、記録用メモリ２０に録画コンテンツを記録する。
【００９４】
そのため、この第６の実施形態では、コンテンツ要求部３０３は、録画装置４０から録画装置１０へ録画コンテンツを移行するのに先だち、録画装置１０が自機の暗号化キーを録画装置４０に送信しておく。次に、録画装置４０では、コンテンツを録画する際、録画装置１０から移行された暗号化キーを、録画コンテンツを暗号化する。すなわち、録画装置４０は録画装置１０の暗号化キーで録画コンテンツを暗号化する。そして、録画装置４０から録画装置１０へは、録画装置１０の暗号化キーで暗号化された録画コンテンツを復号化することなく移行する。
【００９５】
上記構成とすることで、録画装置１０は移行後のデータを暗号化することなく記録用メモリ２０に記録することができる。また、録画装置１０が録画コンテンツを記録用メモリ２０から読み出す場合、自機の復号化キーを用いて復号化することができる。そのため、移行先の録画装置において、暗号化に要する処理を省略することができるため、処理負荷を下げることができる。
【００９６】
７．その他の実施形態：
録画装置の構成は上記したものに限定されない。例えば、録画装置は、テレビジョン受像機と一体となったものであってもよい。
【００９７】
また、録画装置１０は、ループ録画機能を備えるものに限定されず、ＰＲＶ機能のみを備えるものであってもよい。
さらに、上記した各実施形態において、録画コンテンツを記録する先を指定するものであってもよい。
【００９８】
さらに、録画装置４０から移行された録画コンテンツを録画装置１０が内蔵する記録用メモリ２０に記録することは一例にすぎない。例えば、ネットワークＮＥに記録用の外付けメモリを接続しておき、録画コンテンツをこの外付けメモリに移行させるものであってもよい。
【００９９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【０１００】
１０…録画装置、１１…チューナー部、１２…ＴＳ処理部、１３…録画再生制御部、１４…番組表処理部、１５…ＭＰＥＧデコーダ、１６…通信Ｉ／Ｆ、１７…リモコン受信部、２０…記録用メモリ、３０…システムコントローラ、４０…録画装置、５０…表示装置、１３１…ループ記録制御部、１３２…ＰＶＲ記録制御部、１３３…再生部、２０１…ループ記録領域、２０２…ＰＶＲ記録領域、２０３…履歴記録領域、３０１…録画条件要求部、３０２…絞り込み部、３０３…コンテンツ要求部、３０４…録画条件移行部、３０５…コンテンツ情報移行部、３０６…コンテンツ移行部
【図１】
2015176631.tif 000003
【図２】
2015176631.tif 000004
【図３】
2015176631.tif 000005
【図４】
2015176631.tif 000006
【図５】
2015176631.tif 000007
【図６】
2015176631.tif 000008
【図７】
2015176631.tif 000009
【図８】
2015176631.tif 000010
【図９】
2015176631.tif 000011
【図１０】
2015176631.tif 000012
【図１１】
2015176631.tif 000013
【図１２】
2015176631.tif 000014
【図１３】
2015176631.tif 000015
【図１４】
2015176631.tif 000016
【図１５】
2015176631.tif 000017
【図１６】
2015176631.tif 000018